(57)【要約】【課題】  汚水の浄化を確実に向上させる循環式汚水処理システムを提供すること。【解決手段】  本発明の循環式汚水処理システム１０は、水洗便器１１より排出される汚水に酸化促進剤が投入され、投入された酸化促進剤により汚水の酸化の処理が行われる原水槽２１と、原水槽２１よりの酸化が行われた処理水を遠心力で分離するサイクロンフィルター２２と、サイクロンフィルター２２よりの処理水を攪拌する攪拌槽２３と、攪拌槽２３より送出した処理水より汚泥を沈殿させる汚泥沈殿槽２４と、気泡が導入され、汚泥沈殿槽２４より送出された処理水を分解するバイオフリンジを設けた汚水分解槽２５と、活性炭が設けられ汚水分解槽２５より送出された処理水に酸化物質を混入し有機物質を除去する有機物質除去槽２６とを備えることとした。【選択図】図１
2013022584.tif 000002
【特許請求の範囲】
【請求項１】
水洗便器より排出される汚水に酸化促進剤が投入され、投入された酸化促進剤により前記汚水の酸化の処理が行われる原水槽と、前記原水槽よりの前記酸化が行われた処理水にサイクロン流を発生させ前記処理水を遠心力で分離するサイクロンフィルターと、前記サイクロンフィルターよりの前記処理水を攪拌する攪拌槽と、前記攪拌槽より送出した前記処理水より汚泥を沈殿させる汚泥沈殿槽と、気泡が導入され、前記汚泥沈殿槽より送出された処理水を分解するバイオフリンジを設けた汚水分解槽と、活性炭が設けられ前記汚水分解槽より送出された前記処理水に酸化物質を混入し有機物質を除去する有機物質除去槽とを備えたことを特徴とする循環式汚水処理システム。
【請求項２】
水洗便器より排出される汚水に酸化促進剤が投入され、投入された酸化促進剤により前記汚水の酸化の処理が行われる原水槽と、前記原水槽よりの前記酸化が行われた処理水にサイクロン流を発生させ前記処理水を遠心力で分離するサイクロンフィルターと、前記サイクロンフィルターよりの前記処理水を攪拌する攪拌槽と、前記攪拌槽より送出した前記処理水より汚泥を沈殿させる汚泥沈殿槽と、気泡が導入され、前記汚泥沈殿槽より送出された処理水を分解するバイオフリンジを設けた汚水分解槽と、活性炭が設けられ前記汚水分解槽より送出された前記処理水に酸化物質を混入し有機物質を除去する有機物質除去槽とを備え、前記活性炭は、複数層の活性炭とし、前記有機物質除去槽で浄化が行われる処理水は、オゾン発生器より供給されるオゾンを混入するバルブを介し前記複数層の活性炭のそれぞれの間に送出され、前記複数層の活性炭を循環することを特徴とする循環式汚水処理システム。
【請求項３】
前記攪拌槽は沈殿した汚泥を前記原水槽に戻し、前記汚泥沈殿槽は沈殿した汚泥を前記攪拌槽に戻すことを特徴とする請求項１または請求項２に記載の循環式汚水処理システム。
【請求項４】
前記汚泥沈殿槽は、活性炭の槽を設けたことを特徴とする請求項１または請求項２に記載の循環式汚水処理システム。
【発明の詳細な説明】
【技術分野】
【０００１】  本発明は、汚水の浄化を確実に向上させる循環式汚水処理システムに関する。
【背景技術】
【０００２】  従来の循環式汚水処理システムには、水洗便器からの汚水を微生物で有機分解した後に沈殿槽で沈殿分離し循環使用するものがある（例えば、特許文献１参照）。
【先行技術文献】
【特許文献】
【０００３】
【特許文献１】  特開平５−２３０８５８号公報
【発明の概要】
【発明が解決しようとする課題】
【０００４】  しかしながら、従来の従来の循環式汚水処理システムは、微生物による有機分解と沈殿槽での沈殿分離を発生する汚水につき行っているが、汚水の状況によっては浄化が不十分となることがあった。
本発明は、上記に鑑みてなされたものであって、汚水の浄化を確実に向上させる循環式汚水処理システムを提供することを目的とする。
【課題を解決するための手段】
【０００５】  本発明の循環式汚水処理システムは、水洗便器より排出される汚水に酸化促進剤が投入され、投入された酸化促進剤により前記汚水の酸化の処理が行われる原水槽と、前記原水槽よりの前記酸化が行われた処理水にサイクロン流を発生させ前記処理水を遠心力で分離するサイクロンフィルターと、前記サイクロンフィルターよりの前記処理水を攪拌する攪拌槽と、前記攪拌槽より送出した前記処理水より汚泥を沈殿させる汚泥沈殿槽と、気泡が導入され、前記汚泥沈殿槽より送出された処理水を分解するバイオフリンジを設けた汚水分解槽と、活性炭が設けられ前記汚水分解槽より送出された前記処理水に酸化物質を混入し有機物質を除去する有機物質除去槽とを備えることとした。
また、本発明の循環式汚水処理システムは、水洗便器より排出される汚水に酸化促進剤が投入され、投入された酸化促進剤により前記汚水の酸化の処理が行われる原水槽と、前記原水槽よりの前記酸化が行われた処理水にサイクロン流を発生させ前記処理水を遠心力で分離するサイクロンフィルターと、前記サイクロンフィルターよりの前記処理水を攪拌する攪拌槽と、前記攪拌槽より送出した前記処理水より汚泥を沈殿させる汚泥沈殿槽と、気泡が導入され、前記汚泥沈殿槽より送出された処理水を分解するバイオフリンジを設けた汚水分解槽と、活性炭が設けられ前記汚水分解槽より送出された前記処理水に酸化物質を混入し有機物質を除去する有機物質除去槽とを備え、前記活性炭は、複数層の活性炭とし、前記有機物質除去槽で浄化が行われる処理水は、オゾン発生器より供給されるオゾンを混入するバルブを介し前記複数層の活性炭のそれぞれの間に送出され、前記複数層の活性炭を循環することとした。
また、前記攪拌槽は沈殿した汚泥を前記原水槽に戻し、前記汚泥沈殿槽は沈殿した汚泥を前記攪拌槽に戻すこととした。
さらに、前記汚泥沈殿槽は、活性炭の槽を設けることとした。
【発明の効果】
【０００６】  本発明の循環式汚水処理システムは、水洗便器より排出される汚水に酸化促進剤が投入され、投入された酸化促進剤により前記汚水の酸化の処理が行われる原水槽と、前記原水槽よりの前記酸化が行われた処理水にサイクロン流を発生させ前記処理水を遠心力で分離するサイクロンフィルターと、前記サイクロンフィルターよりの前記処理水を攪拌する攪拌槽と、前記攪拌槽より送出した前記処理水より汚泥を沈殿させる汚泥沈殿槽と、気泡が導入され、前記汚泥沈殿槽より送出された処理水を分解するバイオフリンジを設けた汚水分解槽と、活性炭が設けられ前記汚水分解槽より送出された前記処理水に酸化物質を混入し有機物質を除去する有機物質除去槽とを備えることとしたため、確実に汚水を浄化することができる。
また、本発明の循環式汚水処理システムは、水洗便器より排出される汚水に酸化促進剤が投入され、投入された酸化促進剤により前記汚水の酸化の処理が行われる原水槽と、前記原水槽よりの前記酸化が行われた処理水にサイクロン流を発生させ前記処理水を遠心力で分離するサイクロンフィルターと、前記サイクロンフィルターよりの前記処理水を攪拌する攪拌槽と、前記汚泥沈殿槽より送出した前記処理水より汚泥を沈殿させる汚泥沈殿槽と、気泡が導入され、前記攪拌槽より送出された処理水を分解するバイオフリンジを設けた汚水分解槽と、活性炭が設けられ前記汚水分解槽より送出された前記処理水に酸化物質を混入し有機物質を除去する有機物質除去槽とを備え、前記活性炭は、複数層の活性炭とし、前記有機物質除去槽で浄化が行われる処理水は、オゾン発生器より供給されるオゾンを混入するバルブを介し前記複数層の活性炭のそれぞれの間に送出され、前記複数層の活性炭を循環することとしたため、より効果的に確実に汚水を浄化することができる。
また、前記攪拌槽は沈殿した汚泥を前記原水槽に戻し、前記汚泥沈殿槽は沈殿した汚泥を前記攪拌槽に戻すこととしたため、汚泥の再浄化を行うことができる。
さらに、前記汚泥沈殿槽は、活性炭の槽を設けることとしたため、より効果的に汚水を浄化することができる。
【図面の簡単な説明】
【０００７】
【図１】  本発明の第１の実施形態の循環式汚水処理システムのブロック図を示す。
【図２】  本発明の第２の実施形態の循環式汚水処理システムのブロック図を示す。
【発明を実施するための形態】
【０００８】  以下、本発明の実施の形態の循環式汚水処理システムにつき説明する。
【実施例】
【０００９】  図１は、本発明の第１の実施形態の循環式汚水処理システムのブロック図を示す。
図１に示すように、本発明の第１の循環式汚水処理システム１０は、水洗便器１１、原水槽２１、サイクロンフィルター２２、マイクロバブル発生器３１、攪拌槽２３、汚泥沈殿槽２４、汚水分解槽２５、有機物質除去槽２６、リサイクル水貯水タンク１２とで主に構成される。
原水槽２１は、水洗便器１１より排出される汚水が送入される。水洗便器１１より排出された汚水には、浄化のためベローズポンプ（図示せず）により酸化促進剤が投入され、投入された酸化促進剤により汚水の酸化が行われ処理水となる。
原水槽２１には、水位を検出する上方側の水面位置センサＳ１と下方側の水面位置センサＳ２と、水面位置センサＳ１と水面位置センサＳ２とにより水面位置の制御を行う水位制御部２７ａが設けられている。水位が上方側の水面位置を上回り上方側の水面位置センサＳ１がＯＮしたときには水位制御部２７ａによりポンブ２１ａが作動し、サイクロンフィルター２２への送出が行われ、下方側の水面位置を下回り下方側の水面位置センサＳ２がＯＦＦしたときには水位制御部２７ａによりポンブ２１ａは作動停止し、水面位置の制御が行われる。
サイクロンフィルター２２は、原水槽２１により酸化が行われた処理水にサイクロン流を発生させ遠心力で分離し、分離した分解しにくい砂などの固形物を含む汚泥を原水槽２１に戻すことが行われる。
マイクロバブル発生器３１は、有機物質除去槽２６より浄化されたリサイクル水がポンプ３２により送入されるが、マイクロバブルとストリーマ放電により酸化物質を生成し、送入されたリサイクル水に生成した酸化物質を混入し攪拌槽２３に送出する。
攪拌槽２３は、サイクロンフィルター２２より送出された処理水にマイクロバブル発生器３１よりの酸化物質を混入したリサイクル水を混入して攪拌し、汚泥沈殿槽２４に送出する。マイクロバブル発生器３１よりのリサイクル水にはオゾンも含まれている。攪拌槽２３に沈殿した汚泥は原水槽２１に戻される。【００１０】  汚泥沈殿槽２４は、汚泥を沈殿させ沈殿した汚泥は攪拌槽２３に戻される。また、汚泥沈殿槽２４には、活性炭２４ａの層が設けられ、酸化物質が混入しオゾンも含む処理水が活性炭２４ａを通過するため、活性種であるＯＨラジカルが発生し、発生したＯＨラジカルにより有機物を減らし汚泥を減らすことができる。ＯＨラジカルにより、色素、臭い、ばい菌も分解され減らすこともできる。汚泥沈殿槽２４を通過した処理水は固形物を含まない汚泥処理水となり送出する。
汚水分解槽２５は、糸や毛糸などの繊維状の汚泥吸収糸のバイオフリンジ２５ａが複数設けられている。バイオフリンジ２５ａは、汚泥沈殿槽２４より送出された処理水に含まれる汚泥を吸収し、バイオフリンジ２５ａには曝気ポンプ２８により気泡が導入され、バイオフリンジ２５ａに自然発生的に繁殖させた微生物に有機物を食べさせ汚泥を減らすことができる。
有機物質除去槽２６は、活性炭２６ａの層が設けられ、汚水分解槽２５より送出された処理水にマイクロバブル発生器３１よりの酸化物質を混入したリサイクル水を混入して攪拌し、活性炭２４ａを通過させ浄化させている。有機物質除去槽２６でも、マイクロバブル発生器３１よりの酸化物質が混入され攪拌され活性炭２６ａを通過するため、活性種であるＯＨラジカルが発生し、発生したＯＨラジカルにより有機物を減らすことができる。水洗便器１１より排出される汚水は、最終段階の有機物質除去槽２６で最終的に浄化され、透明度の高いリサイクル水となってポンプ２６ａによりリサイクル水貯水タンク１２に送出される。リサイクル水貯水タンク１２の貯水のリサイクル水は、水洗便器１１で再び使用される。
また、有機物質除去槽２６には、水位を検出する上方側の水面位置センサＳ３と下方側の水面位置センサＳ４と、水面位置センサＳ３と水面位置センサＳ４とにより処理水の水面位置の制御を行う水位制御部２７ｂが設けられている。水位が上方側の水面位置を上回り上方側の水面位置センサＳ３がＯＮしたときには水位制御部２７ｂによりポンブ２６ｂが作動し、リサイクル水貯水タンク１２への送出が行われ、水位が下方側の水面位置を下回り下方側の水面位置センサＳ４がＯＦＦしたときには水位制御部２７ｂによりポンブ２６ｂは作動停止し、水面位置の制御が行われる。【００１１】  以上、本発明の第１の循環式汚水処理システム１０は、水洗便器１１より排出される汚水が最終段階の有機物質除去槽２６で最終的に浄化され、透明度の高いリサイクル水となり、確実に汚水を浄化することができる。リサイクル水は、ポンプ２６ｂによりリサイクル水貯水タンク１２に送出され、水洗便器１１で再び使用される。
また、攪拌槽２３に沈殿した汚泥は原水槽２１に戻され、再び浄化することができ、さらに、汚泥沈殿槽２４に沈殿した汚泥も攪拌槽２３に戻され、再び浄化することができ、浄化効果を上げることもできる。
なお、水洗便器１１は、複数設けることもでき、また使用頻度も様々であり、水洗便器１１の設置状況や使用頻度に応じても充分浄化効果を得るようにすることもできる。【００１２】  図２は、本発明の第２の実施形態の循環式汚水処理システムのブロック図を示す。
図２に示すように、本発明の第２の循環式汚水処理システム４０は、本発明の第１の循環式汚水処理システム１０に対し有機物質除去槽２６（図１参照）に代え三層の活性炭を設けた有機物質除去槽４６を設けたものである。
有機物質除去槽４６は、三層の活性炭４６ａ、４６ｂ、４６ｃが設けられ、汚水分解槽２５より送出された処理水にマイクロバブル発生器３１よりの酸化物質を混入したリサイクル水を混入して攪拌し、三層の活性炭４６ａ、４６ｂ、４６ｃを通過させ浄化させている。有機物質除去槽４６は、マイクロバブル発生器３１よりの酸化物質が混入され攪拌され三層の活性炭４６ａ、４６ｂ、４６ｃを通過するため、活性種であるＯＨラジカルが発生し、発生したＯＨラジカルにより有機物を減らすことができる。
三層の活性炭４６ａ、４６ｂ、４６ｃには、浄化が行われる処理水が循環する。浄化が行われる処理水は、循環用ポンプ４３により、オゾン発生器４４ａより供給されるオゾンを混入するバルブ４５ａを介し活性炭４６ａと４６ｂの間に送出され、活性炭４６ａを循環し、オゾン発生器４４ｂより供給されるオゾンを混入するバルブ４５ｂを介し活性炭４６ｂと４６ｃの間に送出され、活性炭４６ａ、４６ｂを循環し、オゾン発生器４４ｃより供給されるオゾンを混入するバルブ４５ｃを介し活性炭４６ｃの下側に送出され、活性炭４６ａ、４６ｂ、４６ｃを循環し、より効果的に浄化を行うことができる。
水洗便器１１より排出される汚水は、最終段階の有機物質除去槽４６で最終的に浄化され、より透明度の高いリサイクル水となってポンプ２６ａによりリサイクル水貯水タンク１２に送出される。リサイクル水貯水タンク１２の貯水のリサイクル水は、水洗便器１１で再び使用される。
また、有機物質除去槽４６には、水位を検出する上方側の水面位置センサＳ５と下方側の水面位置センサＳ６と、水面位置センサＳ５と水面位置センサＳ６とにより処理水の水面位置の制御を行う水位制御部４１が設けられている。水位が上方側の水面位置を上回り上方側の水面位置センサＳ５がＯＮしたときには水位制御部４１によりポンブ４２が作動し、リサイクル水貯水タンク１２への送出が行われ、水位が下方側の水面位置を下回り下方側の水面位置センサＳ６がＯＦＦしたときには水位制御部４１によりポンブ４２は作動停止し、水面位置の制御が行われる。【００１３】  以上、本発明の第２の循環式汚水処理システム４０は、水洗便器１１より排出される汚水が最終段階の有機物質除去槽４６で最終的に浄化され、透明度の高いリサイクル水となり、確実に汚水を浄化することができる。リサイクル水は、ポンプ４２によりリサイクル水貯水タンク１２に送出され、水洗便器１１で再び使用される。
なお、本発明の第２の実施形態の循環式汚水処理システムは、水洗便器に設けられているが、これに限定することなくその他の汚水処理にも使用することができる。
また、活性炭は三層の活性炭を設けることとしたが、これに限定することなく、複数層の活性炭を設けるようにすることもできる。
さらに、本発明の第１、２の循環式汚水処理システムでは、投入された酸化促進剤により汚水の酸化を行っているが、水洗便器の使用状況などにより汚水の酸化を行わず、汚水を処理水として送出するようにすることもでき、その場合でも汚水を充分浄化することができる。
【産業上の利用可能性】
【００１４】  本発明の循環式汚水処理システムは、水洗便器の汚物に限らず廃棄用の砕いた食材にも使用でき、また、家庭内で勿論使用することができるが、会社や介護施設などでも幅広く使用することができる。
【符号の説明】
【００１５】  １０  第１の循環式汚水処理システム
１１  水洗便器
１２  リサイクル水貯水タンク
２１  原水槽
２２  サイクロンフィルター
２３  攪拌槽
２４  汚泥沈殿槽
２５  汚水分解槽
２６  、４６  有機物質除去槽
２８  曝気ポンプ
３１  マイクロバブル発生器
４０  第２の循環式汚水処理システム
４６ａ、４６ｂ、４６ｃ  三層の活性炭
【図１】
2013022584.tif 000003
【図２】
2013022584.tif 000004